(57)【要約】【課題】  どこの接点部品が摩耗したかをすぐに知ることができ、メンテナンスに要する時間を大幅に短縮することができる電気接点を得る。【解決手段】  接点１内部の空隙部２に該接点と絶縁体４を介して設けられ、接点１の摩耗を検出する摩耗検出手段と、この摩耗検出手段の検出結果を外部に報知する報知手段８とを備え、摩耗検出手段として、接点１が摩耗すると露出する構造の摩耗検出用接触子３を用い、摩耗検出用接触子３が相対する相手側接点９と導通すると、その導通状態を接点１が摩耗したとして報知手段８により外部に報知する。【選択図】        図１
2006310233.tif 000002
【特許請求の範囲】
【請求項１】
接点内部の空隙部に該接点と絶縁体を介して設けられ、上記接点の摩耗を検出する摩耗検出手段と、
該摩耗検出手段の検出結果を外部に報知する報知手段と、
を備えたことを特徴とする電気接点。
【請求項２】
上記摩耗検出手段は、上記接点が摩耗すると露出する構造の摩耗検出用接触子であることを特徴とする請求項１記載の電気接点。
【請求項３】
上記報知手段は、上記摩耗検出用接触子が相対する相手側接点と導通すると、該導通状態を上記接点が摩耗したとして外部に報知することを特徴とする請求項２に記載の電気接点。
【請求項４】
上記摩耗検出用接触子が設けられる空隙部の、相対する相手側接点の接触面に平行で、上記摩耗検出用接触子が設けられる方向に直角な間口方向の寸法を、上記相対する相手側接点の間口方向の接触部の寸法より細くしたことを特徴とする請求項２または３記載の電気接点。
【発明の詳細な説明】
【技術分野】
【０００１】
この発明は、スイッチ、リレー等に用いられる電気接点に関し、特に、その接点の摩耗を容易に検出することができる電気接点に関するものである。
【背景技術】
【０００２】
従来、スイッチ、リレー等に用いられる電気接点は、その接点が開閉を繰り返すことにより次第に摩耗していくため、接点部品を長期にわたり使用する場合は、ある程度摩耗したら交換したり、荒れた接点部を磨く等のメンテナンスが必要となる。（例えば、特許文献１参照）。
【０００３】
【特許文献１】特開平１１−３９９７４号公報
【発明の開示】
【発明が解決しようとする課題】
【０００４】
しかしながら、上記公報に記載されているようなスイッチ用電気接点の場合には、接点の状態を確認するには実際に該当部分を目視にて、自認するしかないため、部品が制御盤の奥のほうに配置されていると、その接点状態の確認作業に手間がかかるという問題点があった。
また、エレベータにおいては保守点検のタイミングにしか接点のチェックが行えないので、保守の合間で接点摩耗が進行し接触不良に至ると、エレベータ全体の動作不良を引き起こしてしまうなどの問題点があった。
【０００５】
この発明は、上記のような課題を解決するためになされたもので、どこの接点部品が摩耗したかをすぐに知ることができ、メンテナンスに要する時間を大幅に短縮することができる電気接点を得ることを目的とする。
【課題を解決するための手段】
【０００６】
この発明に係る電気接点は、接点内部の空隙部に接点と絶縁体を介して設けられ、接点の摩耗を検出する摩耗検出手段と、この摩耗検出手段の検出結果を外部に報知する報知手段とを備えたものである。
【発明の効果】
【０００７】
この発明は、どこの接点部品が摩耗したかをすぐに知ることができるので、メンテナンスに要する時間を大幅に短縮することができるという効果がある。
【発明を実施するための最良の形態】
【０００８】
以下、この発明の一実施の形態を、図１〜図４を参照して説明する。
実施の形態１．
図１は、この発明の実施の形態１による電気接点の構造を示すもので、図１（ａ）はその平面図、図１（ｂ）はその断面図である。また、図２および図３は、図１における電気接点の動作を説明するための図、図４は、接点の摩耗が進行していく過程を説明するための図である。
図１において、導電部５上に配置された接点１の内部に空隙部２が設けられ、その空隙部２の中に接点１の摩耗を検出する摩耗検出手段としての摩耗検出用接触子３が設けられる。また、摩耗検出用接触子３と接点１の間には空隙部２と絶縁体４が設けられる。また、導電部５上には、通常の接点出力が出力される出力端子６と、接点１の摩耗検出状態を出力するための摩耗検出用端子７が設けられる。なお、この摩耗検出用端子７には、図３で後述されるように、報知手段８が接続されている。
【０００９】
また、接点１の形状としては、ディスク形、クロスバー形等数種類が考えられるが、本実施の形態では、接点１の中心に摩耗検出用接触子３を挿入するのみで、接点全体の形には影響されないため、ほとんどの接点形状に対応できる。また、絶縁体４としては、例えばエポキシ樹脂やウレタン樹脂等を用いてよく、絶縁体４の上に摩耗検出用接触子３を接着し、それを接点１中に挿入する。また、ここで、適用可能な接点１の大きさは、摩耗検出用接触子３の加工が可能か否かによるが、例えばその直径が数ｍｍ以上のものであればよい。また、空隙部２、絶縁体４および摩耗検出用接触子３の厚さは、それぞれ０．５ｍｍ程度が好ましく、また、接点１、９の材質としては、例えばＡｇ，Ａｇ−Ｎｉ，Ａｇ−Ｐｄ等が用いられる。
【００１０】
次に、図２および図３を参照して、電気接点の動作を説明する。
いま、図１の如く各部品の配置された状態では、接点１と摩耗検出用接触子３は空隙部２と絶縁体４によって隔たれているので接することはなく、また、この接点部が動作し相手側接点（図４参照）と接触しても、摩耗検出用接触子３は導通せず、図２に示すように、接点１からの通常の破線ａで示す接点出力のみが出力端子６に供給されるように動作する。
【００１１】
そして、接点１が動作を繰り返し、摩耗や転移によって消耗してくると、図３に示すように、接点１に隠れていた摩耗検出用接触子３が露出し、相手側接点と摩耗検出用接触子３とが接触する。摩耗検出用接触子３を接点１の中心付近に細く配置すれば、摩耗検出用接触子３が露出した後でも接点１側の導通が維持され、端子６の出力も維持されるので、すぐに通常の機器動作に影響が及ぶことはない。また、この図３の状態では、摩耗検出用接触子３からの出力が破線ｂで示すように摩耗検出力用端子７に供給されて接点１の摩耗状態が出力される。
【００１２】
この摩耗検出用端子７からの検出出力を用いて報知手段８を駆動し、この報知手段８に含まれる表示器である例えばＬＥＤ８ａを点灯させたり、あるいは、監視盤等に含まれるリレー８ｂを駆動させたりすれば、接触不良を起こす前に接点１の摩耗を検出し、接点１の交換ができるので故障発生を未然に防ぐことができる。また、大量の接点部品を使用している制御装置等では、接点１を全て確認するには多大な労力を要するが、本実施の形態によれば、どこの接点部品が摩耗したかをすぐに知ることができるので、メンテナンスに要する時間を大幅に短縮することが可能である。
また、目視確認を行う場合は、摩耗検出用接触子３が露出しているかどうかを交換の交換基準にできるため分かりやすい。さらに、メンテナンス時に接点１を磨いて荒れを直す場合には、摩耗検出用接触子３が露出しないように注意することで、削り過ぎを防ぐことができる。
【００１３】
次に、図４を参照して、接点の摩耗が進行していく過程を説明する。
図４において、図４（ａ）は、接点１に摩耗のない状態、図４（ｂ）は、接点１の摩耗がある程度進行した状態、図４（ｃ）は、接点１の摩耗が進行し、摩耗検出用接触子３が露出した状態をそれぞれ表している。
図４（ａ）の接点１に摩耗のない状態、図４（ｂ）の接点１の摩耗が進行した状態では、摩耗検出用接触子３と相手側接点９は接触しないが、さらに、図４（ｃ）に示すように、接点１の摩耗が進行すると、摩耗検出用接触子３が露出し、これと相手側接点９が接触するようになり、実質的に摩耗検出用接触子３からの摩耗検出出力に基づいて報知手段８（図３）が作動する。
【００１４】
このように、本実施の形態では、摩耗検出手段として接点１が摩耗すると露出する構造の摩耗検出用接触子３を用い、摩耗検出用接触子３が相対する相手側接点９と導通すると、その導通状態を接点１が摩耗したとして外部に報知する報知手段８を駆動し、接触不良を起こす前に接点１の摩耗を検出し、接点１の交換ができるので、故障発生を未然に防ぐことができ、また、どこの接点部品が摩耗したかをすぐに知ることができるので、メンテナンスに要する時間を大幅に短縮することが可能である。
【００１５】
また、相手側接点９が直接摩耗検出用接触子３に接触しなくても、ある程度接点１が摩耗してくると、摩耗した接点の一部が摩耗検出用接触子３と接触する状況が発生するが、この状態で接点１が動作すると、摩耗検出用接触子３と相手側接点９が導通することになるので、早期の段階で接点１の摩耗を検出することができる。
【００１６】
さらに、接点１の摩耗が進行して摩耗検出用接触子３が露出するようになっても相手側接点９の幅を、摩耗検出用接触子３の幅より大きくすることで、接点１との導通が不安定になることを防止でき、摩耗検出用接触子３とも導通し、より確実に接点１の摩耗を検出できる。
【図面の簡単な説明】
【００１７】
【図１】この発明の実施の形態１による電気接点の構造を示すもので、図１（ａ）はその平面図、図１（ｂ）はその断面図である。
【図２】この発明の実施の形態１による電気接点の動作を説明するための図である。
【図３】この発明の実施の形態１による電気接点の動作を説明するための図である。
【図４】この発明の実施の形態１による電気接点における接点の摩耗が進行していく過程を説明するための図である。
【符号の説明】
【００１８】
１    接点、２    空隙部、３    摩耗検出用接触子、４    絶縁体、６    出力端子、７    摩耗検出用端子、８    報知手段、９    相手側接点。
【図１】
2006310233.tif 000003
【図２】
2006310233.tif 000004
【図３】
2006310233.tif 000005
【図４】
2006310233.tif 000006